(57)【要約】  【課題】従来の粘土瓦の生地原料を用いながら固有強度を低下させることなく、軽量化を実現できる粘土瓦を提供する。  【解決手段】  本発明の粘土瓦１は、１側辺部にアンダラップ部１１を、他側辺部をオーバラップ部１２を設けた粘土瓦、好ましくは平板型粘土瓦であって、粘土瓦１の略中央部分において畝状盛上り部２１を備え、さらに、アンダラップ部１１とオーバラップ部１２のそれぞれには、畝状盛上り部２２を形成するための、部分盛上り部２２ａ（アンダラップ側）、２２ｂ（オーバラップ側）を備え、かつ尻部１４から頭部１３の間に、前記畝状盛上り部２１と部分盛上り部２２ａ、２２ｂとその間の谷部２３、２３を横断する横方向に延びて形成された屈曲段差部３、３を備える。    【選択図】  図１
2005042399.tif 000002
【特許請求の範囲】
【請求項１】
１側辺部をアンダラップ部、他側辺部をオーバラップ部とする粘土瓦であって、中央部分に上下に延びる畝状盛上り部を設け、かつ、前記アンダラップ部側とオーバラップ部側には、葺かれたときに隣接する一方の瓦のオーバラップ部と他方の瓦のアンダラップ部との組合せによって畝状盛上り部が形成されるよう、当該畝状盛上り部の一部を構成する部分盛上り部をそれぞれに設けるとともに、当該粘土瓦の頭部から尻部の間に、前記畝状盛上り部と両側の部分盛上り部とその間の谷部を横断する屈曲段差部を形成したことを特徴とする粘土瓦。
【請求項２】
前記畝状盛上り部が、略円弧形状の断面外形を備えるとともに、少なくとも頭部端部には、鉤の手状屈曲辺部を形成し、かつアンダラップ部の部分盛上り部には、隣接して葺かれる瓦のオーバラップ部端面が近接する垂直屈曲面部を形成した請求項１に記載の粘土瓦。
【請求項３】
葺かれたときに隣接する一方の瓦のオーバラップ部と他方の瓦のアンダラップ部によって形成される畝状盛上り部の頂上部分に沿って、それぞれの粘土瓦の隣接部分によって形成される境界ラインが位置するように相互の位置関係を定めた請求項１または２に記載の粘土瓦。
【発明の詳細な説明】
【技術分野】
【０００１】
本発明は、粘土質原料を成形、乾燥、焼成して製造される、特に軽量な粘土瓦の改良に
関する。
【背景技術】
【０００２】
従来から、粘土質原料を成形、乾燥、焼成して製造される粘土瓦は、耐風雨性、耐久性、機械的強度、外観・質感など、他の材質の瓦より優れた特徴があって賞用されている。ところが、十分な機械的強度を発揮するためある程度の厚さを維持することが必要な観点から、その重量がやや重くなるという問題があった。
【０００３】
一般的な粘土瓦は、例えば、屋根葺き上げ面積３．３ｍ２当たり４０枚使用する形態の桟瓦は、１枚当たり３．５ｋｇの重量があった。これら粘土瓦は、仮に強度レベルを維持したまま軽量化できると、原料コスト、製造および葺き上げ工事のハンドリング、屋根下地の材料、施工工数のコストなどにおいて、かなりのコストダウンが期待されていた。
【０００４】
粘土瓦の軽量化を目的として、素地材質が有する固有強度を向上させる方法が提案されている。（例えば１例として、特許文献１を参照のこと）
この事例では、素地を構成する原料として、アルミナスラッジ、珪石リッチな原料、焼却灰、石灰石、苦土石灰、などをＳｉＯ2：３５〜５５％、Ａｌ2Ｏ3：２５〜４０％、ＣａＯ：２〜２０％になるよう配合した生地を成形し、１２００〜１３００℃で焼成して得られる焼成瓦は、高強度なので従来の強度を保持しながら、厚みを削減して軽量化が行えるとされている。しかし、この瓦では、配合原料が特殊なため成形性に劣り、かつ焼成時の歪み・変形が大きくなるという問題があって実用化が困難であった。
【０００５】
また、素地そのものの密度を低減して、瓦を軽量化する提案もあった。（特許文献２を参照のこと）
この提案は、粘土素材におが屑などの可燃性の粉粒状物を混合し、焼成して瓦粘土中のおが屑を燃焼させて微小な空洞を形成して多孔質とするものであるが、微小な空洞を形成する結果、固有強度も低下するのが避けられないので、期待したほどの軽量化は困難であった。
【特許文献１】特開平１１−２４６２７９号公報：請求項１。
【特許文献２】特開２００２−９７７４７号公報：請求項１。
【０００６】
また、近年、年数を経た既設住宅などのリフォーム工事において、金属屋根材やスレート瓦材などの屋根材を粘土瓦に葺き替える要望が増加しているが、金属屋根材やスレート瓦材など軽量瓦に適合させた屋根下地構造では、十分な補強工事を行わないと従来の重量の粘土瓦を利用できない、という問題があった。
【発明の開示】
【発明が解決しようとする課題】
【０００７】
本発明は、上記の問題点を解決するためになされたものであり、従来の粘土瓦の生地原料と製造方法を用いながら、軽量化を実現できる粘土瓦を提供する。
【課題を解決するための手段】
【０００８】
上記の問題は、１側辺部をアンダラップ部、他側辺部をオーバラップ部とする粘土瓦であって、中央部分に上下に延びる畝状盛上り部を設け、かつ、前記アンダラップ部側とオーバラップ部側には、葺かれたときに隣接する一方の瓦のオーバラップ部と他方の瓦のアンダラップ部との組合せによって畝状盛上り部が形成されるよう、当該畝状盛上り部の一部を構成する部分盛上り部をそれぞれに設けるとともに、当該粘土瓦の頭部から尻部の間に、前記畝状盛上り部と両側の部分盛上り部とその間の谷部を横断する屈曲段差部を形成したことを特徴とする本発明の粘土瓦によって、解決することができる。
【０００９】
また、本発明では、前記畝状盛上り部が、略円弧形状の断面外形を備えるとともに、少なくとも頭部端部には、鉤の手状屈曲辺部を形成し、かつアンダラップ部側の部分盛上り部には、隣接して葺かれる瓦のオーバラップ部端面が近接する垂直屈曲面部を形成した形態に具体化できる。
さらに、葺かれたときに隣接する一方の瓦のオーバラップ部側と他方の瓦のアンダラップ部側の部分盛上り部によって形成される畝状盛上り部の頂上部分に沿って、それぞれの粘土瓦の隣接部分によって形成される境界ラインが位置するように相互の位置関係を定めた形態に具体化できる。
【発明の効果】
【００１０】
本発明によれば、粘土瓦の中央部分に上下に延びる畝状盛上り部を設け、かつ、アンダラップ部とオーバラップ部のそれぞれにも、葺かれたときに隣接する瓦の部分によって形成される畝状盛上り部の一部を構成する部分盛上り部を設けるとともに、これら畝状盛上り部と部分盛上り部とを横断する屈曲段差部を形成したので、構造上の機械的強度が改善されるので、その結果、厚さを削減して、従来の強度を維持しながら、重量を約３０％、減量化することが可能となった。
【００１１】
このように本発明の粘土瓦は、従来の粘土瓦の生地原料を用い、従来の製造方法、製造装置を用いて、軽量化を実現できる粘土瓦の提供が可能となった。そして、金属屋根材やスレート瓦材などに適合させた従来の屋根下地構造の住宅などのリフォーム工事においても、特別な補強工事を行なうことなく粘土瓦に葺き替えができるようになるという優れた効果がある。よって本発明は、従来の問題点を解消した粘土瓦として、工業的価値はきわめて大なるものがある。
【発明を実施するための最良の形態】
【００１２】
次に、本発明の粘土瓦に係る実施形態について、図１〜４を参照しながら説明する。
本発明の粘土瓦１は、図１に示す通り、１側辺部にアンダラップ部１１を、他側辺部をオーバラップ部１２を設けた粘土瓦、好ましくは平板型粘土瓦であって、従来の製造方法が適用され得るものである。そして、その特徴とするところは、先ず第１に、図２に示すような、縦方向に延びる畝状盛上り部２１、２２を備え、かつ横方向に延びて形成された屈曲段差部３、３を備えるという屋根葺き上げ構造が得られる点にある。
【００１３】
この縦方向の畝状盛上り部２１は、図１に示すように、粘土瓦１の略中央部分において頭部１３先端から尻部１４近くまで上下に延び形成される。そして、アンダラップ部１１とオーバラップ部１２のそれぞれの側辺部分には、葺かれたときに隣接する一方の瓦のオーバラップ部と他方の瓦のアンダラップ部の組み合わせによって畝状盛上り部２２（図２参照）が形成されるよう、当該畝状盛上り部２２の一部を構成する部分盛上り部２２ａ（アンダラップ側）、２２ｂ（オーバラップ側）をそれぞれに設けている。
【００１４】
さらに第２に、本発明では、粘土瓦１の尻部１４から頭部１３の間に、前記畝状盛上り部２１と、部分盛上り部２２ａ、２２ｂと、その間の谷部２３、２３とを横断する屈曲段差部３、３を備えている。この屈曲段差部３、３は、尻部１４から頭部１３に向かって順次高さが低くなるよう形成されるものである。
【００１５】
この屈曲段差部３の段数は、製造のし易さ、好ましい外観などから１〜３段が適当である。また、この屈曲段差部３の段差の大きさは、構造上の強度が改善される目的に適う範囲でよく、特に限定されるものではないが、５ｍｍ以上であるのが好ましい。
【００１６】
なお、前記畝状盛上り部２１と、部分盛上り部２２ａ、２２ｂによって合成される畝状盛上り部２２とは、同一外形状でもまた異なる外形状でもよく、その外形が堤状台形でもよいが、両者が略同一なサイズの略円弧形状の断面外形を備えるのが、好ましい。また、畝状盛上り部２１と、部分盛上り部２２ａ、２２ｂの大きさ（底部からの高さ）は、構造上の強度が改善される目的に適う範囲でよく、特に限定されるものではないが、粘土瓦１の素地の肉厚以上であるのが好ましい。
【００１７】
さらに、本発明では、図示のように、頭部端部１３には、下方に向けて鉤の手状屈曲辺部１３ａを形成し、かつアンダラップ部１１側の部分盛上げ部２２ａには、隣接して葺かれる瓦のオーバラップ部端縁１２ａが近接する垂直屈曲面部１１ａを形成するのが好ましい。
【００１８】
この形態によれば、図１、２に示すように畝状盛上り部２１、２２が、略円弧形状の断面外形の場合は、特に、成形用金型の製作が容易である上、粘土生地の成形性に優れる利点があり、頭部１３端部に設けられる鉤の手状屈曲辺部１３ａと、アンダラップ部１１の基部の垂直屈曲面部１１ａとあいまって、得られる粘土瓦１の生地成形体、乾燥後の成形体、焼成して得られる粘土瓦１のそれぞれの状態における構造強度に優れるので、予め薄肉に設計して軽量化することが容易となる。
【００１９】
なお、住宅などのリフォーム工事において、金属屋根材やスレート瓦材など比較的軽量な屋根材を用いた屋根構造では、代替屋根材としてはルーフィング材を含めた荷重を３０ｋｇ／ｍ２以下に押えるのが好ましいとされている。そして、本発明の粘土瓦は、構造強度に優れるので、瓦本体を薄肉に設計して軽量化することが可能となり、従来１枚当たり３．５ｋｇ（葺き上げ面積３．３ｍ２当たり４０枚使用する標準的な桟瓦を基準にして）を２．５ｋｇにまで軽量化できるから、このようなリフォーム工事に好適に利用され得るという利点が得られる。
【００２０】
また、図２に示すように、本発明は、葺かれたときに隣接する一方の瓦のオーバラップ部と他方の瓦のアンダラップ部の部分盛上り部２２ａ、２２ａによって合わさって形成される畝状盛上り部２２の頂上部分に沿って、それぞれの粘土瓦の隣接部分によって形成される境界ライン２２ｃが位置するように相互の位置関係を定めるのがより好ましい。このためには、部分盛上り部２２ａ、２２ａを左右対称形の円弧状外形に形成しておけばよい。
【００２１】
このように境界ライン２２ｃを畝状盛上り部２２の頂上部分に沿って位置させれば、降りかかった雨水が畝状盛上り部２２の両側に分けられるので、この境界ライン２２ｃから侵入する雨水の量が最小になるという利点が得られるとともに、この境界ライン２２ｃ自体が外観上、好ましい印象を与えるという利点も得られる。
【図面の簡単な説明】
【００２２】
【図１】本発明の粘土瓦を説明するための要部斜視図。
【図２】本発明の粘土瓦の葺き上げ状態を説明するための要部斜視図。
【図３】本発明の粘土瓦の縦断面を説明するための要部斜視図。
【図４】本発明の粘土瓦の横断面を説明するための要部斜視図。
【符号の説明】
【００２３】
１      粘土瓦
１１    アンダラップ部
１１ａ  垂直屈曲面部
１２    オーバラップ部
１２ａ  オーバラップ部端縁
１３    頭部
１３ａ  鉤の手状屈曲辺部
１４    尻部
２１、２２  畝状盛上り部
２２ａ、２２ｂ  部分盛上り部
２２ｃ  境界ライン
２３  谷部
３      屈曲段差部
【図１】
2005042399.tif 000003
【図２】
2005042399.tif 000004
【図３】
2005042399.tif 000005
【図４】
2005042399.tif 000006